(57)【要約】【課題】セキュリティーを高く維持しつつ、通信速度が速いスマートアクセスシステムを提供することを目的とする。【解決手段】スマートアクセスシステム１０では、端末１２が接続可能な家電機器３２ａ、３２ｂを有する家電機器部３０を備え、家電機器３２ａ、３２ｂを登録するスマートコントローラ２０と、端末１２の家電機器部３０への接続の認証をする管理サーバ４０と、スマートコントローラ２０と管理サーバ４０とが接続するルータ１６とを備える。スマートコントローラ２０は、家電機器３２ａ、３２ｂの登録情報が登録される登録テーブル２６を有する。管理サーバ４０は、端末１２がスマートコントローラ２０へ接続するための認証情報が登録される管理データベース４６を有する。端末１２は、管理サーバ４０に接続することにより、ルータ１６及びスマートコントローラ２０を介して、家電機器部３０の遠隔操作が可能となる。【選択図】図１
2014175698.tif 000002
【特許請求の範囲】
【請求項１】
端末が接続可能な家電機器を有する家電機器部を備えるスマートアクセスシステムであって、
前記家電機器を登録するスマートコントローラと、
前記端末の前記家電機器部への接続の認証をする管理サーバと、
前記スマートコントローラと前記管理サーバとが接続するルータと、
を備え、
前記スマートコントローラは、前記家電機器の登録情報が登録される登録テーブルを有し、
前記管理サーバは、前記端末が前記スマートコントローラへ接続するための認証情報が登録される管理データベースを有し、
前記端末は、前記管理サーバに接続することにより、前記ルータ及び前記スマートコントローラを介して、前記家電機器部の遠隔操作をすることを特徴とするスマートアクセスシステム。
【請求項２】
請求項１記載のスマートアクセスシステムにおいて、
前記端末が、ルーティング機能を有するスマートフォンである場合に、
前記端末は、コントローラによって実行され、前記管理中継サーバからの命令を受け付けるアプリケーションが格納されるメモリを有し、
前記コントローラは、前記アプリケーションを実行して、前記管理サーバから前記端末の加入者を特定する認証情報である端末認証キーの取得命令を受け付け、前記端末認証キーを前記管理サーバに対して送信し、前記管理サーバが前記認証情報として前記端末認証キーを取得することを特徴とするスマートアクセスシステム。
【発明の詳細な説明】
【技術分野】
【０００１】
本発明は、端末が接続可能な家電機器を有する家電機器部を備えるスマートアクセスシステムに関する。
【背景技術】
【０００２】
屋内に配置された各種の電気機器の電源のＯＮ／ＯＦＦ、設定、操作を屋外からユーザが遠隔操作するシステムが知られている（特許文献１、２）。
【０００３】
特許文献１のシステムは、遠隔制御装置と、ゲートウェイ装置と、通信アダプタと家電機器とを備え、遠隔制御装置で家電機器を遠隔操作するシステムである。
【０００４】
特許文献２のシステムは、携帯端末のインターネットホームページ閲覧機能を利用し、公衆回線に接続されホームページを提供するサービス機器を備えている。このシステムでは、携帯端末を用いてホームページ上で家電製品の操作を指示することにより、家庭に設置された遠隔操作アダプタに公衆回線経由で操作指示が行われ、遠隔操作アダプタによって家電製品が制御されている。
【先行技術文献】
【特許文献】
【０００５】
【特許文献１】特開２００４−３０４５２０号公報
【特許文献２】特開２０１１−２４４４９９号公報
【発明の概要】
【発明が解決しようとする課題】
【０００６】
しかしながら、特許文献１、２では、屋外から携帯端末でインターネットを介して遠隔操作する場合のセキュリティーが問題となる。一般的には、通信を暗号化することにより、セキュリティーを高めることができるが、通信速度が低下する課題がある。
【０００７】
本発明は、上記の課題を考慮してなされたものであって、セキュリティーを高く維持しつつ、通信速度が速いスマートアクセスシステムを提供することを目的とする。
【課題を解決するための手段】
【０００８】
本発明に係るスマートアクセスシステムは、端末が接続可能な家電機器を有する家電機器部を備えるスマートアクセスシステムであって、前記家電機器を登録するスマートコントローラと、前記端末の前記家電機器部への接続の認証をする管理サーバと、前記スマートコントローラと前記管理サーバとが接続するルータと、を備え、前記スマートコントローラは、前記家電機器の登録情報が登録される登録テーブルを有し、前記管理サーバは、前記端末が前記スマートコントローラへ接続するための認証情報が登録される管理データベースを有し、前記端末は、前記管理サーバに接続することにより、前記ルータ及び前記スマートコントローラを介して、前記家電機器部の遠隔操作をすることを特徴とする。
【０００９】
前記スマートアクセスシステムにおいて、前記端末が、ルーティング機能を有するスマートフォンである場合に、前記端末は、コントローラによって実行され、前記管理中継サーバからの命令を受け付けるアプリケーションが格納されるメモリを有し、前記コントローラは、前記アプリケーションを実行して、前記管理サーバから前記端末の加入者を特定する認証情報である端末認証キーの取得命令を受け付け、前記端末認証キーを前記管理サーバに対して送信し、前記管理サーバが前記認証情報として前記端末認証キーを取得することを特徴とする。
【発明の効果】
【００１０】
本発明のスマートアクセスシステムによれば、セキュリティーを高く維持しつつ、高速通信ができる。また、管理データベースにスマートコントローラへ接続するための認証情報を設定し、端末が前記管理サーバに接続することにより、ルータ及びスマートコントローラを介して、家電機器部の遠隔操作が可能となる。
【００１１】
また、管理中継サーバとの通信においてＡＴコマンドを用いることができない端末の端末認証キーを用いて、家電機器部への接続を可能とし、家電機器部の遠隔操作が可能となる。
【図面の簡単な説明】
【００１２】
【図１】本発明の実施形態に係るスマートアクセスシステムの説明図である。
【図２】図２Ａは、登録テーブルの説明図であり、図２Ｂは、認証テーブルの説明図である。
【図３】端末の説明図である。
【図４】本発明の実施形態に係るスマートアクセスシステムの処理手順の説明図である。
【発明を実施するための形態】
【００１３】
以下、本発明の実施形態について図面を参照して説明する。図１は、本発明の実施形態に係るスマートアクセスシステム１０の説明図であり、図２Ａは、登録テーブル２６の説明図であり、図２Ｂは、認証テーブル４８の説明図であり、図３は、端末１２ｃの説明図である。
【００１４】
＜スマートアクセスシステム１０の構成の説明＞
スマートアクセスシステム１０は、端末１２ａ〜１２ｃと、公衆回線１４と、ルータ１６と、スマートコントローラ２０と、家電機器部３０と、管理サーバ４０とを備える。端末１２ａ〜１２ｃ（適宜総称して「端末１２」という）は、公衆回線１４、管理サーバ４０、ルータ１６、スマートコントローラ２０を介して、家電機器部３０に接続可能である。
【００１５】
端末１２ａ〜１２ｃは、通信機能を有する端末である。ここで、端末１２ｃは、汎用ＯＳを搭載したルーティング機能を備えるスマートフォンである。公衆回線１４は、インターネット等で構成される公衆回線である。ルータ１６は、端末１２、スマートコントローラ２０、管理サーバ４０の間のデータ通信を行うための通信機器である。
【００１６】
スマートコントローラ２０は、登録制御部２２と、通信部２４とを備える。通信部２４は、ルータ１６、家電機器部３０との通信処理を行う。
【００１７】
登録制御部２２は、登録テーブル２６を備える。登録テーブル２６には、端末１２ａ〜１２ｃによる遠隔操作の対象となる後述する家電機器３２ａ、３２ｂの登録情報が記憶される。図２Ａに示されるように、例えば、家電機器３２ａに対しては、家電機器の登録情報である家電名としてテレビ、識別符号としてＸａ、家電機器３２ｂに対しては、家電名としてエアコン、識別符号としてＸｂが記憶される。識別符号としては、識別できる符号であれば特に限定されるものではない。例えば、識別符号としては、ＭＡＣアドレスその他の固有の識別符号や家電機器に割り当てられるＩＰアドレスであってもよい。
【００１８】
家電機器部３０は、端末１２の遠隔操作の対象となる家電機器３２ａ、３２ｂを備える。家電機器３２ａ、３２ｂは、ネットワークを介して端末１２により遠隔操作できる家電機器であれば、特に限定されるものではない。例えば、テレビ、エアコン、冷蔵庫、電子レンジ、照明器具、洗濯機、監視カメラ、通信機能を有する端末である。また、家電機器部３０は、スマートコントローラ２０と同一の屋内にあってもよい。
【００１９】
管理サーバ４０は、管理制御部４２と、通信部４４と、管理データベース４６とを備える。管理制御部４２は、主として、端末１２の認証を行う制御部である。通信部４４は、端末１２との通信処理、スマートコントローラ２０との通信処理、家電機器部３０との通信処理を行う。管理データベース４６は、端末１２が家電機器部３０へ接続するための認証に関する情報が設定される認証テーブル４８を備えるデータベースである。
【００２０】
管理データベース４６の認証テーブル４８には、家電機器部３０の使用者に対する使用者ＩＤ、パスワードが記憶される。図２Ｂに示されるように、例えば、使用者Ａに対しては、使用者ＩＤとしてＩａ、パスワードＰａが認証テーブル４８に記憶される。同様に、使用者Ｂ、Ｃに対しても使用者ＩＤ、パスワードが記憶されている。
【００２１】
また、端末１２ｃは、コントローラ５０と、ＵＳＩＭ（Universal Subscriber Identity Module）５２と、メモリ５６とを備える。コントローラ５０は、端末１２ｃの全体の制御を行う制御部である。ＵＳＩＭ５２は、電話番号等の端末１２ｃの加入者を特定するユニークな加入者情報である端末認証キー５４が記憶されたメモリモジュールである。メモリ５６には、コントローラ５０において実行され、管理サーバ４０からの命令をスマートフォンで受け付けるアプリケーション５８が格納されている。アプリケーション５８は、例えば、java言語で記述されたjavaアプリケーションである。
【００２２】
＜スマートアクセスシステム１０の動作の説明＞
次に、スマートアクセスシステム１０の動作について、図４を用いて説明する。図４は、本発明の実施形態に係るスマートアクセスシステム１０の処理手順の説明図である。なお、以下、端末１２ａの使用者Ａが家電機器部３０に接続する場合について説明する。端末１２ｂについても同様な処理手順で家電機器部３０へ接続できる。
【００２３】
まず、最初に家電機器３２ａ、３２ｂの識別符号が登録テーブル２６に登録される（ステップＳ１）。
【００２４】
また、使用者Ａ〜Ｃの各々の使用者ＩＤ、パスワードが認証テーブル４８に設定、記憶される（ステップＳ２）。
【００２５】
登録制御部２２は、登録テーブル２６に識別符号が登録されると、ルータ１６を介して、管理サーバ４０に接続する（ステップＳ３）。この登録制御部２２と管理サーバ４０との接続により、ルータ１６にスマートコントローラ２０と管理サーバ４０間の通信経路が生成される。
【００２６】
次に、使用者Ａは、端末１２ａによって公衆回線１４を介して管理サーバ４０に接続する（ステップＳ４）。管理サーバ４０の管理制御部４２は、通信部４４より公衆回線１４を介して、スマートコントローラ２０へ接続するための認証情報として、使用者ＩＤ及びパスワードの入力を求める旨を送信する。端末１２ａには、表示画面に前記入力を求める旨が表示される。使用者Ａは、使用者ＩＤ及びパスワードを入力し、入力された使用者ＩＤ及びパスワードが管理サーバ４０へ送信される。管理制御部４２は、認証情報として使用者ＩＤ及びパスワードを取得する。
【００２７】
管理制御部４２は、端末１２ａから送信されてきた使用者ＩＤ及びパスワードと、認証テーブル４８に記憶されている使用者ＩＤ及びパスワードとを照合する（ステップＳ５）。端末１２ａから送信されてきた使用者ＩＤがＩａ、パスワードＰａであるならば、管理制御部４２は照合が一致したと判断する（ステップＳ５  ＹＥＳ）。また、使用者ＩＤ又はパスワードの少なくとも一方が一致しなかった場合には、再度の使用者ＩＤ又はパスワードの入力が求められる（ステップＳ５  ＮＯ）。
【００２８】
管理制御部４２は、前記照合が一致したと判断した場合には、端末１２ａの接続先をスマートコントローラ２０に変更させる（ステップＳ６）。ルータ１６では、端末１２ａとスマートコントローラ２０間の通信経路が生成されているので、端末１２ａ、公衆回線１４、管理サーバ４０、公衆回線１４、ルータ１６、スマートコントローラ２０との通信が確立する。
【００２９】
以後、使用者Ａは、家電機器部３０を遠隔操作できる（ステップＳ７）。具体的には、登録制御部２２が端末１２ａの通信の確立を確認すると、登録制御部２２は、ルータ１６、公衆回線１４、管理サーバ４０、公衆回線１４を介して、端末１２ａに対して、登録テーブル２６の登録情報に基づいて、家電機器部３０のリストとして家電機器３２ａ、３２ｂの家電名を送信する。ここで、端末１２ａからスマートコントローラ２０への通信は、公衆回線１４、管理サーバ４０、公衆回線１４、ルータ１６という通信経路で行われ、スマートコントローラ２０から端末１２ａへの通信は、ルータ１６、公衆回線１４、管理サーバ４０、公衆回線１４という通信経路で行われる。
【００３０】
端末１２ａの表示画面に家電名が表示される。例えば、使用者Ａは、表示画面中の利用する家電名を選択する。たとえば、家電機器３２ａを選択した場合には、その選択情報が前記通信経路を経てスマートコントローラ２０に送信される。スマートコントローラ２０では、登録制御部２２が選択情報を受信して、家電機器３２ａに接続する。家電機器３２ａは、操作メニューを前記通信経路を経て端末１２ａに送信する。端末１２ａの表示画面に前記操作メニューが表示される。使用者Ａは、所望の操作を指示することとなる。これらの処理を繰り返すことにより、端末１２ａによる家電機器３２ａの遠隔操作が可能となる。
【００３１】
例えば、家電機器３２ａがテレビである場合、外出先から使用者Ａが遠隔操作し、録画の予約をすることができる。また、家電機器３２ａが監視カメラである場合、外出先から使用者Ａが遠隔操作し、屋内の様子を確認できる。また、監視カメラにより屋内に不審者が発見された場合には、登録制御部２２により外部に連絡することもできる。
【００３２】
また、使用者Ｃが、端末１２ｃによって公衆回線１４を介してスマートコントローラ２０に接続する場合には、ステップＳ４の代わりに下記の処理がされる。
【００３３】
使用者Ｃは、端末１２ｃによって公衆回線１４を介して管理サーバ４０に接続する。管理サーバ４０の管理制御部４２は、通信部４４より公衆回線１４を介して、端末１２ｃに対してスマートコントローラ２０へ接続するための認証情報として、使用者ＩＤの入力を求める旨（命令）を送信する。端末１２ｃでは、アプリケーション５８が実行されているために、コントローラ５０は、管理サーバ４０からの使用者ＩＤを求める命令を受け付けることができる。コントローラ５０は、前記入力を求める命令を受け付けて、使用者ＩＤとして端末認証キー５４を取得するためのデーモンを起動する。コントローラ５０は、起動したデーモンを実行して、ＵＳＩＭ５２から端末認証キー５４を取得し、管理サーバ４０に送信する。管理サーバ４０の管理制御部４２は、認証情報の使用者ＩＤとして、端末認証キー５４を取得する。
【００３４】
この後の処理は、上述したステップＳ５〜ステップＳ７の処理がされることにより、端末１２ｃによる家電機器部３０の遠隔操作が可能となる。
【００３５】
スマートアクセスシステム１０では、端末１２が接続可能な家電機器３２ａ、３２ｂを有する家電機器部３０を備えるスマートアクセスシステムであって、前記家電機器３２ａ、３２ｂを登録するスマートコントローラ２０と、前記端末１２の前記家電機器部３０への接続の認証をする管理サーバ４０と、前記スマートコントローラ２０と管理サーバ４０とが接続するルータ１６と、を備える。前記スマートコントローラ２０は、前記家電機器３２ａ、３２ｂの登録情報が登録される登録テーブル２６を有する。前記管理サーバ４０は、前記端末１２が前記スマートコントローラ２０へ接続するための認証情報が登録される管理データベース４６を有する。前記端末１２は、前記管理サーバ４０に接続することにより、前記ルータ１６及び前記スマートコントローラ２０を介して、前記家電機器部３０の遠隔操作が可能となる。
【００３６】
スマートアクセスシステム１０によれば、セキュリティーを高く維持しつつ、高速通信ができる。また、管理データベース４６にスマートコントローラ２０へ接続するための認証情報を設定し、端末１２が前記管理サーバに接続することにより、前記ルータ及び前記スマートコントローラを介して、前記家電機器部の遠隔操作が可能となる。
【００３７】
また、スマートアクセスシステムにおいて、端末１２ｃが、ルーティング機能を有するスマートフォンである場合に、端末１２ｃは、コントローラ５０によって実行され、管理サーバ４０からの命令を受け付けるアプリケーション５８が格納されるメモリ５６を有する。コントローラ５０は、アプリケーション５８を実行して、管理サーバ４０から端末１２ｃの加入者を特定する認証情報である端末認証キー５４の取得命令を受け付け、端末認証キー５４を管理サーバ４０に対して送信し、前記認証情報として前記端末認証キー５４を管理サーバ４０が取得する。これにより、管理サーバ４０との通信においてＡＴコマンドを用いることができない端末１２ｃの端末認証キー５４を用いて、家電機器部３０への接続を可能とし、家電機器部３０の遠隔操作が可能となる。
【００３８】
なお、本発明は、上述の実施形態に限らず、本発明の要旨を逸脱することなく、種々の構成を採り得ることはもちろんである。
【００３９】
また、上記実施形態では、端末１２は端末１２ａ〜１２ｃで３台、家電機器部３０は、家電機器３２ａ、３２ｂと２台としているが、本発明は、これに限定されるものではない。
【００４０】
また、上記実施形態では、端末１２ｃの使用者ＩＤとして、端末認証キー５４を用いているが、端末１２を区別することができれば、本発明は、これに限定されるものではない。例えば、端末１２のＭＡＣアドレスや、端末１２に登録された電子署名、メールアドレスを用いることもできる。
【符号の説明】
【００４１】
１０…スマートアクセスシステム
１２ａ〜１２ｃ…端末
１４…公衆回線
１６…ルータ
２０…スマートコントローラ
２２…登録制御部
２４…通信部
２６…登録テーブル
３０…家電機器部
３２ａ、３２ｂ…家電機器
４０…管理サーバ
４２…管理制御部
４４…通信部
４６…管理データベース
４８…認証テーブル
５０…コントローラ
５２…ＵＳＩＭ
５４…端末認証キー
５６…メモリ
５８…アプリケーション
【図１】
2014175698.tif 000003
【図２】
2014175698.tif 000004
【図３】
2014175698.tif 000005
【図４】
2014175698.tif 000006